(57)【要約】【課題】ＰＣカードインタフェース対応のモード変更用装置を利用して、ＳＤカード型無線通信端末装置の動作モードを事業者モードに遷移させることができる端末動作モード変更システムを実現する。【解決手段】ＳＤカードインタフェースによりＳＤカード型無線通信端末装置２から入力された所定の信号ＡをＰＣカードインタフェースによりモード変更用装置１へ出力するゲート素子４１と、ＰＣカードインタフェースによりモード変更用装置１から入力された信号Ａを検出して、所定の信号ＢをＳＤカードインタフェースによりＳＤカード型無線通信端末装置２へ出力するＣＰＵ３１を備えたインタフェース変換装置を具備する。【選択図】    図２
2004152252.tif 000002
【特許請求の範囲】
【請求項１】
第１の通信インタフェースにより入力された所定の第１の信号に基づいて、所定の第２の信号を前記第１の通信インタフェースにより出力するモード変更用装置を利用する端末動作モード変更システムにおいて、
第２の通信インタフェースにより前記第１の信号を出力し、前記第２の通信インタフェースにより所定の第３の信号を受け取ると、自己の動作モードを所定のモードに遷移する端末装置と、
前記第２の通信インタフェースにより前記端末装置から入力された前記第１の信号を前記第１の通信インタフェースにより前記モード変更用装置へ出力する第１の信号伝達手段、及び、前記第１の通信インタフェースにより前記モード変更用装置から入力された前記第２の信号を検出して、前記第３の信号を前記第２の通信インタフェースにより前記端末装置へ出力するモード変更用装置検出手段を備えたインタフェース変換装置と、
を具備することを特徴とする端末動作モード変更システム。
【請求項２】
第１の通信インタフェースにより入力された所定の第１の信号に基づいて、所定の第２の信号を前記第１の通信インタフェースにより出力するモード変更用装置を利用する端末動作モード変更システムにおいて、
第２の通信インタフェースにより入力された前記第２の信号を検出すると、自己の動作モードを所定のモードに遷移する端末装置と、
前記第１の通信インタフェースにより前記モード変更用装置へ前記第１の信号を出力する第１の信号出力手段、及び、前記第１の通信インタフェースにより前記モード変更用装置から入力された前記第２の信号を前記第２の通信インタフェースにより前記端末装置へ出力する第２の信号伝達手段を備えたインタフェース変換装置と、
を具備することを特徴とする端末動作モード変更システム。
【請求項３】
第１の通信インタフェースにより入力された所定の第１の信号に基づいて、所定の第２の信号を前記第１の通信インタフェースにより出力するモード変更用装置を利用する端末動作モード変更システムにおいて、
第２の通信インタフェースにより前記第１の信号を出力し、前記第２の通信インタフェースにより入力された前記第２の信号を検出すると、自己の動作モードを所定のモードに遷移する端末装置と、
前記第２の通信インタフェースにより前記端末装置から入力された前記第１の信号を前記第１の通信インタフェースにより前記モード変更用装置へ出力する第１の信号伝達手段、及び、前記第１の通信インタフェースにより前記モード変更用装置から入力された前記第２の信号を前記第２の通信インタフェースにより前記端末装置へ出力する第２の信号伝達手段を備えたインタフェース変換装置と、
を具備することを特徴とする端末動作モード変更システム。
【請求項４】
第１の通信インタフェースにより入力された所定の第１の信号に基づいて所定の第２の信号を前記第１の通信インタフェースにより出力するモード変更用装置を利用して、第２の通信インタフェースにより前記第１の信号を出力し、前記第２の通信インタフェースにより所定の第３の信号を受け取ると、自己の動作モードを所定のモードに遷移する端末装置の動作モードを変更する端末動作モード変更方法であって、
前記第２の通信インタフェースにより前記端末装置から入力された前記第１の信号を前記第１の通信インタフェースにより前記モード変更用装置へ出力する過程と、
前記第１の通信インタフェースにより前記モード変更用装置から入力された前記第２の信号を検出して、前記第３の信号を前記第２の通信インタフェースにより前記端末装置へ出力する過程と、
を含むことを特徴とする端末動作モード変更方法。
【請求項５】
第１の通信インタフェースにより入力された所定の第１の信号に基づいて所定の第２の信号を前記第１の通信インタフェースにより出力するモード変更用装置を利用して、第２の通信インタフェースにより入力された前記第２の信号を検出すると、自己の動作モードを所定のモードに遷移する端末装置の動作モードを変更する端末動作モード変更方法であって、
前記第１の通信インタフェースにより前記モード変更用装置へ前記第１の信号を出力する過程と、
前記第１の通信インタフェースにより前記モード変更用装置から入力された前記第２の信号を前記第２の通信インタフェースにより前記端末装置へ出力する過程と、
を含むことを特徴とする端末動作モード変更方法。
【請求項６】
第１の通信インタフェースにより入力された所定の第１の信号に基づいて所定の第２の信号を前記第１の通信インタフェースにより出力するモード変更用装置を利用して、第２の通信インタフェースにより前記第１の信号を出力し、前記第２の通信インタフェースにより入力された前記第２の信号を検出すると、自己の動作モードを所定のモードに遷移する端末装置の動作モードを変更する端末動作モード変更方法であって、
前記第２の通信インタフェースにより前記端末装置から入力された前記第１の信号を前記第１の通信インタフェースにより前記モード変更用装置へ出力する過程と、
前記第１の通信インタフェースにより前記モード変更用装置から入力された前記第２の信号を前記第２の通信インタフェースにより前記端末装置へ出力する過程と、
を含むことを特徴とする端末動作モード変更方法。
【請求項７】
第１の通信インタフェースを介して所定信号を送信するモード変更用装置を利用する端末動作モード変更システムにおいて、
前記第１の通信インタフェースを介して前記モード変更用装置と接続され、前記所定信号を受信すると、所定ソフトウェアコマンドを発生して第２の通信インタフェースを介して送信するインタフェース変換装置と、
前記第２の通信インタフェースを介して前記インタフェース変換装置と接続され、前記所定ソフトウェアコマンドを受信すると、自己の動作モードを所定モードに遷移する端末装置と、
を備えたことを特徴とする端末動作モード変更システム。
【請求項８】
第１の通信インタフェースを介して所定信号を送信するモード変更用装置を利用する端末動作モード変更システムにおいて、
前記第１の通信インタフェースを介して前記モード変更用装置と接続され、前記所定信号を受信すると、所定ソフトウェアコマンドを発生して第２の通信インタフェースを介して送信するインタフェース変換装置と、
前記第２の通信インタフェースを介して前記インタフェース変換装置と接続され、該接続の時点から所定時間以内に前記所定ソフトウェアコマンドを受信すると、自己の動作モードを所定モードに遷移する端末装置と、
を備えたことを特徴とする端末動作モード変更システム。
【請求項９】
前記インタフェース変換装置は、
前記第１の通信インタフェースを介して外部装置が接続された際、前記所定信号を受信できなかった場合に、前記第１の通信インタフェースと前記第２の通信インタフェースの間でデータの相互変換を行う
ことを特徴とする請求項１または請求項２に記載の端末動作モード変更システム。
【請求項１０】
前記データがソフトウェアコマンドである請求項９記載の端末モード変更システム。
【請求項１１】
第１の通信インタフェースを介して所定信号を送信するモード変更用装置を利用する端末動作モード変更方法であって、
前記第１の通信インタフェースを介して前記モード変更用装置と接続されたインタフェース変換装置が、前記所定信号の受信を検出し、この検出により所定ソフトウェアコマンドを発生し、前記所定ソフトウェアコマンドを第２の通信インタフェースを介して送信する過程と、
前記第２の通信インタフェースを介して前記インタフェース変換装置と接続された端末装置が、前記所定ソフトウェアコマンドの受信を検出し、この検出により自己の動作モードを所定モードに遷移する過程と、
を含むことを特徴とする端末動作モード変更方法。
【請求項１２】
第１の通信インタフェースを介して所定信号を送信するモード変更用装置を利用する端末動作モード変更方法であって、
前記第１の通信インタフェースを介して前記モード変更用装置と接続されたインタフェース変換装置が、前記所定信号の受信を検出し、この検出により所定ソフトウェアコマンドを発生し、前記所定ソフトウェアコマンドを第２の通信インタフェースを介して送信する過程と、
前記第２の通信インタフェースを介して前記インタフェース変換装置と接続された端末装置が、該接続の時点から所定時間以内に前記所定ソフトウェアコマンドの受信を検出すると、自己の動作モードを所定モードに遷移する過程と、
を含むことを特徴とする端末動作モード変更方法。
【請求項１３】
前記インタフェース変換装置が、前記第１の通信インタフェースを介して外部装置が接続された際、前記所定信号の受信を検出できなかった場合に、前記第１の通信インタフェースと前記第２の通信インタフェースの間でデータの相互変換を行う過程
をさらに含むことを特徴とする請求項１１または請求項１２に記載の端末動作モード変更方法。
【請求項１４】
前記データがソフトウェアコマンドである請求項７記載の端末モード変更方法。
【請求項１５】
一端がモード変更用装置に着脱可能に装着され、他端にデータ無線通信カードを着脱自由に装着し使用するインタフェース変換装置において、前記モード変更用装置から出力されるデータを受信する第１の通信インタフェースと、前記第１の通信インタフェースから出力されるデータに特殊信号が含まれるかどうかを検出する特殊信号検出部と、前記特殊信号検出部により特殊信号が検出された場合、特殊コマンドを発生する特殊コマンド発生部と、前記特殊コマンド発生部から送信された特殊コマンドを送信する第２の通信インタフェースを有するインタフェース変換装置。
【請求項１６】
第１の通信インターフェースを介してモード変更用装置に接続される第１の信号伝達手段と、
第２の通信インターフェースを介して自己の動作モードを所定のモードに遷移する端末装置に接続される第２の信号伝達手段と、
前記第１の信号伝達手段を選択する第１の切り替え手段と、
前記第２の信号伝達手段を選択する第２の切り替え手段と、
前記第１の信号伝達手段を介して前記モード変更用装置から入力される第１の所定モード変更信号を検出した場合、前記第２の信号伝達手段を介して前記端末装置を所定のモードに変更する第２の所定モード変更信号を出力し、前記第１の所定モード変更信号を検出しない場合、前記第１の切り替え手段により前記第１の信号伝達手段を非選択とし、前記第２の切り替え手段で前記第２の信号伝達手段を非選択とする制御手段
とを有するインタフェース変換装置。
【請求項１７】
前記制御手段は、前記第１切り替え手段と前記第２切り替え手段を選択した場合、前記第２の通信インタフェースと前記第１の通信インタフェースが接続され、前記第２の信号伝達手段を介して前記端末装置から第３の所定モード変更信号を入力した場合、前記第１の信号伝達手段から前記モード変更用装置に出力し、かつ前記第１の信号伝達手段を介して前記モード変更用装置から入力される前記第３の所定オード変更信号に基づく前記第１の所定モード変更信号の入力を検出する請求項１６記載のインタフェース装置。
【請求項１８】
前記制御手段は、前記第１の信号伝達手段から前記モード変更用装置に第４の所定モード変更信号を出力し、かつ前記第１の信号伝達手段を介して前記モード変更用装置から前記第４の所定モード変更信号に基づく前記第１の所定モード変更信号の入力を検出する請求項１６または１７記載のインタフェース装置
【請求項１９】
前記制御手段が前記第１の切り替え手段と前記第２の切り替え手段を選択した場合、前記第２の通信インタフェースと前記第１の通信インタフェースが接続され、前記第２の信号伝達手段に前記端末装置から前記第３の所定モード変更信号が入力され、前記第１の信号伝達手段から前記モード変更手段へ出力され、
前記制御手段は、前記第１の信号伝達手段を介して前記モード変更用装置から前記第３の所定モード変更信号に基づく前記第１の所定モード変更信号の入力を検出する請求項１６ないし１８いずれか１項記載のインタフェース装置。
【請求項２０】
前記第２の信号伝達手段がソフトウェアコマンドを発生する手段である請求項１６ないし２０いずれか１項記載のインタフェース装置。
【請求項２１】
前記第２の切り替え手段により前記第２の信号伝達手段に替わり選択され前記第２のインタフェースを介して前記端末装置に接続される第４の信号伝達手段を有し、前記第４の信号伝達手段がソフトウエアマンドを発生する請求項１９ないし２１いずれか１項記載のインタフェース装置。
【請求項２２】
前記第１の切り替え手段により前記第２の信号伝達手段に替わり選択され前記第１のインタフェースを介して前記モード変更用装置に接続される第３の信号伝達手段を有する請求項１６ないし２２いずれか１項記載のインタフェース装置。
【請求項２３】
前記制御回路が前記所定モード変更信号を検出しない場合、前記第３の信号伝達手段と前記第４の信号伝達手段を選択する請求項２２記載のインタフェース装置。
【請求項２４】
前記インタフェース装置に接続された電源の投入を検出し、前記制御手段の動作を制御するタイミング検出手段を有する請求項１６ないし２３いずれか１項記載のインタフェース装置。
【発明の詳細な説明】
【０００１】
【発明の属する技術分野】
本発明は、ＳＤカード型無線通信端末装置等の端末装置の動作モードを事業者モード等の所定のモードに遷移させるための端末動作モード変更システム及びその方法に関する。
【０００２】
【従来の技術】
従来、ＰＣカードと呼ばれるカード型電子装置があり、携帯型パーソナルコンピュータ等の機能拡張用に各種機能を具備するＰＣカードが実現されている。そして、ＰＣカードの一つに無線通信機能を具備するＰＣカード型無線通信端末装置がある。このＰＣカード型無線通信端末装置は、無線電話サービスを提供する通信事業者の加入者用の端末機であり、無線電話回線を介してデータ通信を行うことが可能なものである。また、無線電話が可能なものもある。
【０００３】
上記ＰＣカード型無線通信端末装置を利用者が購入して使用開始する際には、販売店などにおいて端末固有情報（電話番号や通信事業者用情報等）がＰＣカード型無線通信端末装置に設定される。また、実際に使用可能なことを検証するために開通確認試験が基地局との間で実施される。これら端末固有情報の設定や開通確認試験を実行する際には、ＰＣカード型無線通信端末装置の動作モードを事業者モードに遷移させる。そして、利用者には、ＰＣカード型無線通信端末装置の動作モードを加入者モードに設定してから引き渡す。
【０００４】
図６は、従来の端末動作モード変更システムの概略構成を示すブロック図である。ＰＣカード型無線通信端末装置１００は、ＰＣカードインタフェース信号によりモード変更用装置１と電気的に接続される。ＰＣカードインタフェース信号は、ＰＣカードと外部装置との間でデータを伝送するための信号であり、ＰＣカード規格で規定されているものである。
【０００５】
モード変更用装置１は、ＰＣカード型無線通信端末装置１００の動作モードを事業者モードに遷移させるためのものである。ＰＣカード型無線通信端末装置１００の動作モードが事業者モードに遷移した後に、端末固有情報設定や開通確認試験が基地局から実行される。なお、モード変更用装置１が端末固有情報の設定機能を有している場合もある。
【０００６】
図７は、図６に示す従来の端末動作モード変更システムの詳細な構成を示すブロック図である。この図７には、ＰＣカード型無線通信端末装置１００の動作モードを事業者モードに遷移させるための機能ブロックのみを示している。ＰＣカード型無線通信端末装置１００において、ＣＰＵ１０１は、事業者モードと加入者モードの切り替え処理、端末固有情報設定や開通確認試験など、事業者モード時の処理、加入者モード時の通常の通信処理、回路各部の制御などを行う。ＰＣカードインタフェース部１０２は、ＰＣカードインタフェース信号により外部装置との間でデータを伝送する。ＰＣカード型無線通信端末装置１００は外部装置と接続するためのＰＣカードインタフェース用コネクタ（図示せず）を備える。
【０００７】
ＣＰＵ１０１は、ＰＣカードインタフェース用コネクタに含まれるピンであって、ＰＣカードインタフェース信号の内のＳＴＳＣＨＧ信号用のピン（ＳＴＳＣＨＧピン）とＩＯＩＳ１６信号用のピン（ＩＯＩＳ１６ピン）に接続される。また、ＰＣカードインタフェース部１０２は、ＰＣカードインタフェース用コネクタのピンの内、ＳＴＳＣＨＧピンとＩＯＩＳ１６ピンと、これらのピン以外の少なくともデータ伝送に必要なピンとに接続されている。
【０００８】
モード変更用装置１においては、ＰＣカードインタフェース用コネクタ（図示せず）を備え、このＰＣカードインタフェース用コネクタ内のＳＴＳＣＨＧピンとＩＯＩＳ１６ピンとが接続されている。
【０００９】
ＰＣカード型無線通信端末装置１００の動作モードを事業者モードに遷移させる際には、作業者は、図７に示すように、ＰＣカード型無線通信端末装置１００とモード変更用装置１を接続する。次いで、ＰＣカード型無線通信端末装置１００の電源を投入すると、ＣＰＵ１０１は、初期化処理を開始し、この初期化処理においてＰＣカードインタフェース部１０２の動作を停止させる。これにより、ＰＣカードインタフェース部１０２は、ＳＴＳＣＨＧピンとＩＯＩＳ１６ピンとの接続を電気的に断する。
【００１０】
なお、作業者がモード変更用装置１を操作して事業者モードへの変更を指示し、これによりモード変更用装置１がＰＣカード型無線通信端末装置１００へリセット信号（図示せず）を出力し、このリセット信号によりＣＰＵ１０１が初期化処理を開始する場合もある。
【００１１】
次いで、ＣＰＵ１０１は、所定の信号ＡをＳＴＳＣＨＧピンへ出力する。これにより、信号Ａは、図７の破線で示すように、モード変更用装置１で折り返されてＰＣカード型無線通信端末装置１００のＩＯＩＳ１６ピンに入力され、ＣＰＵ１０１へ戻ってくる。ＣＰＵ１０１は、この所定の信号Ａを検出すると、モード変更用装置１が接続されていると判断して動作モードを事業者モードに遷移する。
【００１２】
このように、作業者がＰＣカード型無線通信端末装置１００をモード変更用装置１に接続して電源を投入すれば、自動的にＰＣカード型無線通信端末装置１００の動作モードは事業者モードに変更される。これにより、端末固有情報設定や開通確認試験が可能となる。
【００１３】
図１５は、従来の端末動作モード変更システムの構成を示すブロック図である。ＰＣカード型無線通信端末装置１００とモード変更用装置１は、ＰＣカードインタフェース機能を備えており、ＰＣカードインタフェース信号によりデータを送受信する。ＰＣカードインタフェース信号は、ＰＣカードと外部装置との間でデータを伝送するための信号であり、ＰＣカード規格で規定されている。モード変更用装置１は、ＰＣカードインタフェース信号の中の一つである「ＩＯＩＳ１６信号」の信号線を用いて特殊信号ＡをＰＣカード型無線通信端末装置１００へ送信する。特殊信号Ａは、ＰＣカード型無線通信端末装置１００の動作モードを加入者データ登録モードに遷移させるための所定のコマンドであり、例えば、一定の間隔でＨｉｇｈレベルとＬｏｗレベルを交互に複数回繰り返す信号である。
【００１４】
図１６は、モード変更用装置１の構成を示すブロック図である。モード変更用装置１は、上記特殊信号Ａを発生する特殊信号発生部１１と、ＰＣカードインタフェース機能を有するＰＣカードインタフェース（ＰＣカードＩＦ）部１２を備えている。特殊信号発生部１１は、自装置にＰＣカード型無線通信端末装置１００が装着されると、自動的に特殊信号Ａを発生して、ＰＣカードＩＦ部１２によりＰＣカード型無線通信端末装置１００へ送信する。ＰＣカード型無線通信端末装置１００は、この特殊信号Ａを検出すると、加入者データ登録モードに自動的に遷移する。
（例えば、特許文献１参照）。
【００１５】
【特許文献１】
特開平１１−２７５０００号公報（第３頁、第１図）
ところで、近年、ＳＤ（Ｓｅｃｕｒｅ  Ｄｉｇｉｔａｌ）カードと呼ばれるカード型電子装置が実現されており、このＳＤカード型の無線通信端末装置の開発がなされている。このＳＤカード型無線通信端末装置は、ＳＤカードインタフェース（ＳＤＩＯ）により外部装置との間でデータを伝送する。このために、ＳＤカードインタフェースをサポートしていない、ＰＣカードインタフェース対応の電子装置（例えばモード変更用装置１等）とＳＤカード型無線通信端末装置を接続するためには、ＰＣカードインタフェースとＳＤカードインタフェースを相互変換するインタフェース変換装置が必要となる。
【００１６】
図８は、従来のインタフェース変換装置１１０の構成を示すブロック図である。インタフェース変換装置１１０において、ＳＤカードインタフェース部３２は、ＳＤインタフェース対応の外部装置と接続するためのＳＤカードインタフェース用コネクタ（図示せず）に接続されており、該外部装置との間でＳＤカードインタフェース信号によりデータを伝送する。ＰＣカードインタフェース部３３は、ＰＣインタフェース対応の外部装置と接続するためのＰＣカードインタフェース用コネクタ（図示せず）に接続されており、該外部装置との間でＰＣカードインタフェース信号によりデータを伝送する。ＣＰＵ１１１は、ＳＤカードインタフェース部３２とＰＣカードインタフェース部３３との間でデータを相互に伝達する。このインタフェース変換装置１１０を使用すれば、ＳＤカード型無線通信端末装置とモード変更用装置１などのＰＣインタフェース対応電子装置との間で相互にデータを伝送することができる。
【００１７】
【発明が解決しようとする課題】
しかし、上述した従来のインタフェース変換装置１１０では、ＳＤカード型無線通信端末と上記モード変更用装置１との間でデータを伝送することが可能となっても、上記図７のようにしてモード変更用装置１によりＳＤカード型無線通信端末装置の動作モードを事業者モードに遷移させることができないという問題がある。この理由は、たとえＳＤカード型無線通信端末装置がＳＤカードインタフェース信号の内、いずれかの信号に用いるピンから信号Ａを出力しても、インタフェース変換装置１１０が、該信号Ａをモード変更用装置１へＳＴＳＣＨＧピンから出力することができないためである。また、モード変更用装置１で折り返された信号ＡをＳＤカード型無線通信端末装置へ伝達することもできない。
【００１８】
この問題を解決するために、ＳＤカードインタフェースに対応可能なモード変更用装置を開発することが考えられる。しかしながら、ＰＣカードインタフェース対応のモード変更用装置１は既に全国の販売店に多数配備されており、新たにＳＤカードインタフェース対応のモード変更用装置を開発して全国の販売店に配備するのは、コスト面や販売店側の事情（設置場所の確保等）などの問題があり困難である。
【００１９】
このような理由から、ＰＣカードインタフェース対応の従来のモード変更用装置を利用して、ＳＤカード型無線通信端末装置の動作モードを事業者モードに遷移させることができる端末動作モード変更システムの実現が要望されている。
【００２０】
本発明は、このような事情を考慮してなされたもので、その目的は、ＰＣカードインタフェース対応のモード変更用装置を利用して、ＳＤカード型無線通信端末装置の動作モードを事業者モードに遷移させることができる端末動作モード変更システム及びその方法を提供することにある。
【００２１】
【課題を解決するための手段】
上記の課題を解決するために、本発明の端末動作モード変更システムは、第１の通信インタフェースにより入力された所定の第１の信号に基づいて、所定の第２の信号を前記第１の通信インタフェースにより出力するモード変更用装置を利用する端末動作モード変更システムにおいて、第２の通信インタフェースにより前記第１の信号を出力し、前記第２の通信インタフェースにより所定の第３の信号を受け取ると、自己の動作モードを所定のモードに遷移する端末装置と、前記第２の通信インタフェースにより前記端末装置から入力された前記第１の信号を前記第１の通信インタフェースにより前記モード変更用装置へ出力する第１の信号伝達手段、及び、前記第１の通信インタフェースにより前記モード変更用装置から入力された前記第２の信号を検出して、前記第３の信号を前記第２の通信インタフェースにより前記端末装置へ出力するモード変更用装置検出手段を備えたインタフェース変換装置とを具備することを特徴としている。
【００２２】
本発明の端末動作モード変更システムは、第１の通信インタフェースにより入力された所定の第１の信号に基づいて、所定の第２の信号を前記第１の通信インタフェースにより出力するモード変更用装置を利用する端末動作モード変更システムにおいて、第２の通信インタフェースにより入力された前記第２の信号を検出すると、自己の動作モードを所定のモードに遷移する端末装置と、前記第１の通信インタフェースにより前記モード変更用装置へ前記第１の信号を出力する第１の信号出力手段、及び、前記第１の通信インタフェースにより前記モード変更用装置から入力された前記第２の信号を前記第２の通信インタフェースにより前記端末装置へ出力する第２の信号伝達手段を備えたインタフェース変換装置とを具備することを特徴としている。
【００２３】
本発明の端末動作モード変更システムは、第１の通信インタフェースにより入力された所定の第１の信号に基づいて、所定の第２の信号を前記第１の通信インタフェースにより出力するモード変更用装置を利用する端末動作モード変更システムにおいて、第２の通信インタフェースにより前記第１の信号を出力し、前記第２の通信インタフェースにより入力された前記第２の信号を検出すると、自己の動作モードを所定のモードに遷移する端末装置と、前記第２の通信インタフェースにより前記端末装置から入力された前記第１の信号を前記第１の通信インタフェースにより前記モード変更用装置へ出力する第１の信号伝達手段、及び、前記第１の通信インタフェースにより前記モード変更用装置から入力された前記第２の信号を前記第２の通信インタフェースにより前記端末装置へ出力する第２の信号伝達手段を備えたインタフェース変換装置とを具備することを特徴としている。
【００２４】
本発明の端末動作モード変更方法は、第１の通信インタフェースにより入力された所定の第１の信号に基づいて所定の第２の信号を前記第１の通信インタフェースにより出力するモード変更用装置を利用して、第２の通信インタフェースにより前記第１の信号を出力し、前記第２の通信インタフェースにより所定の第３の信号を受け取ると、自己の動作モードを所定のモードに遷移する端末装置の動作モードを変更する端末動作モード変更方法であって、前記第２の通信インタフェースにより前記端末装置から入力された前記第１の信号を前記第１の通信インタフェースにより前記モード変更用装置へ出力する過程と、前記第１の通信インタフェースにより前記モード変更用装置から入力された前記第２の信号を検出して、前記第３の信号を前記第２の通信インタフェースにより前記端末装置へ出力する過程とを含むことを特徴としている。
【００２５】
本発明の端末動作モード変更方法は、第１の通信インタフェースにより入力された所定の第１の信号に基づいて所定の第２の信号を前記第１の通信インタフェースにより出力するモード変更用装置を利用して、第２の通信インタフェースにより入力された前記第２の信号を検出すると、自己の動作モードを所定のモードに遷移する端末装置の動作モードを変更する端末動作モード変更方法であって、前記第１の通信インタフェースにより前記モード変更用装置へ前記第１の信号を出力する過程と、前記第１の通信インタフェースにより前記モード変更用装置から入力された前記第２の信号を前記第２の通信インタフェースにより前記端末装置へ出力する過程とを含むことを特徴としている。
【００２６】
本発明の端末動作モード変更方法は、第１の通信インタフェースにより入力された所定の第１の信号に基づいて所定の第２の信号を前記第１の通信インタフェースにより出力するモード変更用装置を利用して、第２の通信インタフェースにより前記第１の信号を出力し、前記第２の通信インタフェースにより入力された前記第２の信号を検出すると、自己の動作モードを所定のモードに遷移する端末装置の動作モードを変更する端末動作モード変更方法であって、前記第２の通信インタフェースにより前記端末装置から入力された前記第１の信号を前記第１の通信インタフェースにより前記モード変更用装置へ出力する過程と、前記第１の通信インタフェースにより前記モード変更用装置から入力された前記第２の信号を前記第２の通信インタフェースにより前記端末装置へ出力する過程とを含むことを特徴としている。
【００２７】
上記の課題を解決するために、本発明の端末動作モード変更システムは、第１の通信インタフェースを介して所定信号を送信するモード変更用装置を利用する端末動作モード変更システムにおいて、前記第１の通信インタフェースを介して前記モード変更用装置と接続され、前記所定信号を受信すると、所定ソフトウェアコマンドを発生して第２の通信インタフェースを介して送信するインタフェース変換装置と、前記第２の通信インタフェースを介して前記インタフェース変換装置と接続され、前記所定ソフトウェアコマンドを受信すると、自己の動作モードを所定モードに遷移する端末装置とを備えたことを特徴としている。
【００２８】
本発明によれば、インタフェース変換装置が、第１の通信インタフェース（ＰＣカードインタフェース）を介して所定信号（特殊信号）を受信すると、第２の通信インタフェース（ＳＤカードインタフェース）を介して所定ソフトウェアコマンド（特殊コマンド）を送信し、端末装置（ＳＤカード型無線通信端末装置）がその所定ソフトウェアコマンドを検出して所定モード（加入者データ登録モード）に遷移する。これにより、第１の通信インタフェース（ＰＣカードインタフェース）対応のモード変更用装置を利用して、第２の通信インタフェース対応の端末装置（ＳＤカード型無線通信端末装置）の動作モードを所定モード（加入者データ登録モード）に遷移させることができる。
【００２９】
上記の課題を解決するために、本発明の端末動作モード変更システムは、第１の通信インタフェースを介して所定信号を送信するモード変更用装置を利用する端末動作モード変更システムにおいて、前記第１の通信インタフェースを介して前記モード変更用装置と接続され、前記所定信号を受信すると、所定ソフトウェアコマンドを発生して第２の通信インタフェースを介して送信するインタフェース変換装置と、前記第２の通信インタフェースを介して前記インタフェース変換装置と接続され、該接続の時点から所定時間以内に前記所定ソフトウェアコマンドを受信すると、自己の動作モードを所定モードに遷移する端末装置とを備えたことを特徴としている。
【００３０】
この発明によれば、端末装置が外部装置と接続時点から所定時間以内に所定ソフトウェアコマンド（特殊コマンド）を受信しなかった場合には所定モード（加入者データ登録モード）に遷移しないので、例えば、加入者データ（電話番号など）を不正に書き換える等の不正利用のために加入者データ登録モードに遷移することを防止することができる。
【００３１】
本発明の端末動作モード変更システムにおいて、前記インタフェース変換装置は、前記第１の通信インタフェースを介して外部装置が接続された際、前記所定信号を検出できなかった場合に、前記第１の通信インタフェースと前記第２の通信インタフェースの間でデータの相互変換を行うことを特徴とする。
【００３２】
この発明によれば、インタフェース変換装置が第１の通信インタフェース（ＰＣカードインタフェース）を介して外部装置と接続した際、所定信号（特殊信号）を検出できなかった場合に、第１の通信インタフェース（ＰＣカードインタフェース）と第２の通信インタフェース（ＳＤカードインタフェース）の間でデータの相互変換を行うので、例えばパーソナルコンピュータと端末装置（ＳＤカード型無線通信端末装置）との間で通常データを授受することができ、該通常データによりデータ通信を行うことができる。
【００３３】
上記の課題を解決するために、本発明の端末動作モード変更方法は、第１の通信インタフェースを介して所定信号を送信するモード変更用装置を利用する端末動作モード変更方法であって、前記第１の通信インタフェースを介して前記モード変更用装置と接続されたインタフェース変換装置が、前記所定信号の受信を検出し、この検出により所定ソフトウェアコマンドを発生し、前記所定ソフトウェアコマンドを第２の通信インタフェースを介して送信する過程と、前記第２の通信インタフェースを介して前記インタフェース変換装置と接続された端末装置が、前記所定ソフトウェアコマンドの受信を検出し、この検出により自己の動作モードを所定モードに遷移する過程とを含むことを特徴としている。
【００３４】
上記の課題を解決するために、本発明の端末動作モード変更方法は、第１の通信インタフェースを介して所定信号を送信するモード変更用装置を利用する端末動作モード変更方法であって、前記第１の通信インタフェースを介して前記モード変更用装置と接続されたインタフェース変換装置が、前記所定信号の受信を検出し、この検出により所定ソフトウェアコマンドを発生し、前記所定ソフトウェアコマンドを第２の通信インタフェースを介して送信する過程と、前記第２の通信インタフェースを介して前記インタフェース変換装置と接続された端末装置が、該接続の時点から所定時間以内に前記所定ソフトウェアコマンドの受信を検出すると、自己の動作モードを所定モードに遷移する過程とを含むことを特徴としている。
【００３５】
本発明の端末動作モード変更方法において、前記インタフェース変換装置が、前記第１の通信インタフェースを介して外部装置が接続された際、前記所定信号の受信を検出できなかった場合に、前記第１の通信インタフェースと前記第２の通信インタフェースの間でデータの相互変換を行う過程をさらに含むことを特徴とする。
【００３６】
本発明は、一端がモード変更用装置に着脱可能に装着され、他端にデータ無線通信カードを着脱自由に装着し使用するインタフェース変換装置において、前記モード変更用装置から出力されるデータを受信する第１の通信インタフェースと、前記第１の通信インタフェースから出力されるデータに特殊信号が含まれるかどうかを検出する特殊信号検出部と、前記特殊信号検出部により特殊信号が検出された場合、特殊コマンドを発生する特殊コマンド発生部と、前記特殊コマンド発生部から送信された特殊コマンドを送信する第２の通信インタフェースを有することを特徴としている。
【００３７】
本発明は、第１の通信インターフェースを介してモード変更用装置に接続される第１の信号伝達手段と、第２の通信インターフェースを介して自己の動作モードを所定のモードに遷移する端末装置に接続される第２の信号伝達手段と、前記第１の信号伝達手段を選択する第１の切り替え手段と、前記第２の信号伝達手段を選択する第２の切り替え手段と、前記第１の信号伝達手段を介して前記モード変更用装置から入力される第１の所定モード変更信号を検出した場合、前記第２の信号伝達手段を介して前記端末装置を所定のモードに変更する第２の所定モード変更信号を出力し、前記第１の所定モード変更信号を検出しない場合、前記第１の切り替え手段により前記第１の信号伝達手段を非選択とし、前記第２の切り替え手段で前記第２の信号伝達手段を非選択とする制御手段とを有するインタフェース変換装置からなる。
【００３８】
ここで制御手段は、前記第１切り替え手段と前記第２切り替え手段を選択した場合、前記第２の通信インタフェースと前記第１の通信インタフェースが接続され、前記第２の信号伝達手段を介して前記端末装置から第３の所定モード変更信号を入力した場合、前記第１の信号伝達手段から前記モード変更用装置に出力し、かつ前記第１の信号伝達手段を介して前記モード変更用装置から入力される前記第３の所定オード変更信号に基づく前記第１の所定モード変更信号の入力を検出する。
【００３９】
また制御手段は、前記第１の信号伝達手段から前記モード変更用装置に第４の所定モード変更信号を出力し、かつ前記第１の信号伝達手段を介して前記モード変更用装置から前記第４の所定モード変更信号に基づく前記第１の所定モード変更信号の入力を検出する
ここで制御手段が前記第１の切り替え手段と前記第２の切り替え手段を選択した場合、前記第２の通信インタフェースと前記第１の通信インタフェースが接続され、前記第２の信号伝達手段に前記端末装置から前記第３の所定モード変更信号が入力され、前記第１の信号伝達手段から前記モード変更手段へ出力され、前記制御手段は、前記第１の信号伝達手段を介して前記モード変更用装置から前記第３の所定モード変更信号に基づく前記第１の所定モード変更信号の入力を検出することを特徴とする。
【００４０】
また第２の信号伝達手段にソフトウェアコマンドを発生する手段を用いることを特徴とする。また、第２の切り替え手段により前記第２の信号伝達手段に替わり選択され前記第２のインタフェースを介して前記端末装置に接続される第４の信号伝達手段を有し、前記第４の信号伝達手段がソフトウエアマンドを発生することを特徴とする。
【００４１】
また、第１の切り替え手段により前記第２の信号伝達手段に替わり選択され前記第１のインタフェースを介して前記モード変更用装置に接続される第３の信号伝達手段を有することを特徴とする
また、制御回路が前記所定モード変更信号を検出しない場合、前記第３の信号伝達手段と前記第４の信号伝達手段を選択することを特徴とする。
【００４２】
最後に、インタフェース装置に接続された電源の投入を検出し、前記制御手段の動作を制御するタイミング検出手段を有することを特徴とする。
【００４３】
【発明の実施の形態】
以下、図面を参照し、本発明の実施形態について説明する。
【００４４】
図１は、本発明の実施形態による端末動作モード変更システムの概略構成を示すブロック図である。この図１において、符号１は、ＰＣカードインタフェース対応のモード変更用装置であり、このモード変更用装置１は従来から利用されているものである。符号２は、ＳＤカード型の無線通信端末装置であり、このＳＤカード型無線通信端末装置は、ＳＤカードインタフェースにより外部装置との間でデータを伝送する。符号３は、ＰＣカードインタフェースとＳＤカードインタフェースを相互変換するインタフェース変換装置である。
【００４５】
ＳＤカード型無線通信端末装置２は、ＳＤカードインタフェース信号によりインタフェース変換装置３と電気的に接続され、インタフェース変換装置３との間で相互にデータ伝送が可能である。モード変更用装置１はＰＣカードインタフェース信号によりインタフェース変換装置３と電気的に接続され、インタフェース変換装置３との間で相互にデータ伝送が可能である。
【００４６】
次に、上記図１の端末動作モード変更システムの第１〜第３の各実施形態の詳細な構成とその動作を、図２〜図４を参照して順次説明する。図２は、第１の実施形態による端末動作モード変更システムの詳細な構成を示すブロック図である。図３は、第２の実施形態による端末動作モード変更システムの詳細な構成を示すブロック図である。図４は、第３の実施形態による端末動作モード変更システムの詳細な構成を示すブロック図である。これら図２〜図４には、ＳＤカード型無線通信端末装置２の動作モードを事業者モードに遷移させるための機能ブロックのみを示している。
【００４７】
先ず、図２を参照して第１の実施形態を説明する。図２のＳＤカード型無線通信端末装置２において、ＣＰＵ２１は、事業者モードと加入者モードの切り替え処理、端末固有情報設定や開通確認試験など、事業者モード時の処理、加入者モード時の通常の通信処理、回路各部の制御などを行う。ＳＤカードインタフェース部２２は、ＳＤカードインタフェース信号により外部装置との間でデータを伝送する。ＳＤカード型無線通信端末装置２は外部装置と接続するためのＳＤカードインタフェース用コネクタ（図示せず）を備える。ＳＤカードインタフェース用コネクタは、ＳＤカードインタフェース信号用のピンを有している。なお、図２には、動作モード遷移のために使用するＲＷピンとＣｌｏｃｋピンのみを示している。また、動作モード遷移のために使用するピンはＲＷピンとＣｌｏｃｋピンに限定されず、他のピンであってもよい。
【００４８】
ＣＰＵ２１は、ＳＤカードインタフェース用コネクタのピンのうちＲＷピンとＣｌｏｃｋピンに接続される。また、ＳＤカードインタフェース部２２は、ＳＤカードインタフェース用コネクタのピンの内、ＲＷピンおよびＣｌｏｃｋピンと、これらのピン以外の少なくともデータ伝送に必要なピンとに接続されている。
【００４９】
インタフェース変換装置３において、ＣＰＵ３１は、ＳＤカードインタフェース部３２とＰＣカードインタフェース部３３との間でデータを相互に伝達する。また、ＣＰＵ３１は、モード変更用装置１が接続されているか否かを判断し、接続されている場合にその旨をＳＤカード型無線通信端末装置２へ通知する処理を行う。
【００５０】
ＳＤカードインタフェース部３２は、ＳＤインタフェース対応の外部装置と接続するためのＳＤカードインタフェース用コネクタ（図示せず）に接続されており、該外部装置との間でＳＤカードインタフェース信号によりデータを伝送する。このＳＤカードインタフェース部３２は、ＳＤカードインタフェース用コネクタのピンの内、ＲＷピンおよびＣｌｏｃｋピンと、これらのピン以外の少なくともデータ伝送に必要なピンとに接続されている。
【００５１】
ＰＣカードインタフェース部３３は、ＰＣインタフェース対応の外部装置と接続するためのＰＣカードインタフェース用コネクタ（図示せず）に接続されており、該外部装置との間でＰＣカードインタフェース信号によりデータを伝送する。このＰＣカードインタフェース部３３は、ＰＣカードインタフェース用コネクタのピンの内、ＳＴＳＣＨＧピンとＩＯＩＳ１６ピンと、これらのピン以外の少なくともデータ伝送に必要なピンとに接続されている。
【００５２】
ゲート素子４１は、その入力部がＲＷピンに接続され、また出力部がＳＴＳＣＨＧピンに接続されており、入力信号を出力信号として出力するか、出力を断するかの選択が可能なものである。
【００５３】
上記ＣＰＵ３１は、ＳＤカードインタフェース用コネクタのＣｌｏｃｋピンと、ＰＣカードインタフェース用コネクタのＩＯＩＳ１６ピンに接続されている。また、ＣＰＵ３１は、ゲート素子４１の制御ピンに接続されており、ゲート素子４１の出力を制御する。
【００５４】
モード変更用装置１においては、ＰＣカードインタフェース用コネクタ（図示せず）を備え、このＰＣカードインタフェース用コネクタ内のＳＴＳＣＨＧピンとＩＯＩＳ１６ピンとが接続されている。
【００５５】
上記図２のインタフェース変換装置３を使用すれば、上記図８の従来のインタフェース変換装置１１０と同様に、ＳＤカード型無線通信端末装置２とＰＣインタフェース対応の電子装置（例えばモード変更用装置１）との間で相互にデータを伝送することができる。
【００５６】
次に、上記図２の端末動作モード変更システムにおいて、ＳＤカード型無線通信端末装置２の動作モードを事業者モードに遷移させる動作について説明する。
【００５７】
初めに、作業者は、図２に示すように、モード変更用装置１とＳＤカード型無線通信端末装置２をそれぞれインタフェース変換装置３に接続する。次いで、ＳＤカード型無線通信端末装置２の電源を投入すると、ＣＰＵ２１は、初期化処理を開始し、この初期化処理においてＳＤカードインタフェース部２２の動作を停止させる。これにより、ＳＤカードインタフェース部２２は、ＲＷピンおよびＣｌｏｃｋピンとの接続を電気的に断する。
【００５８】
また、インタフェース変換装置３の電源を投入すると、ＣＰＵ３１は、初期化処理を開始し、この初期化処理においてＳＤカードインタフェース部３２とＰＣカードインタフェース部３３の動作を停止させる。これにより、ＳＤカードインタフェース部３２は、ＲＷピンおよびＣｌｏｃｋピンとの接続を電気的に断する。また、ＰＣカードインタフェース部３３は、ＳＴＳＣＨＧピンとＩＯＩＳ１６ピンとの接続を電気的に断する。
【００５９】
また、ＣＰＵ３１は、ゲート素子４１を制御してＲＷピンの信号を出力するようにする。これにより、インタフェース変換装置３においてＲＷピンの信号がＳＴＳＣＨＧピンに出力されるようになる。
【００６０】
次いで、ＳＤカード型無線通信端末装置２のＣＰＵ２１は、所定の信号ＡをＲＷピンへ出力する。これにより、信号Ａは、図２の破線で示すように、インタフェース変換装置３を介してモード変更用装置１のＳＴＳＣＨＧピンへと入力され、モード変更用装置１で折り返されてインタフェース変換装置３のＩＯＩＳ１６ピンに入力され、インタフェース変換装置３のＣＰＵ３１へ入力される。ＣＰＵ３１は、この所定の信号Ａを検出すると、モード変更用装置１が接続されていると判断して、ＳＤカード型無線通信端末装置２へモード変更用装置有りを通知するための所定の信号Ｂを出力する。この信号Ｂは、図２の破線で示すように、Ｃｌｏｃｋピンを介してＳＤカード型無線通信端末装置２のＣＰＵ２１へ伝送される。次いで、ＣＰＵ２１は、信号Ｂを受け取ると、動作モードを事業者モードに遷移する。
【００６１】
このようにして、自動的にＳＤカード型無線通信端末装置２の動作モードは事業者モードに変更され、これにより端末固有情報設定や開通確認試験が可能となる。
【００６２】
なお、作業者がモード変更用装置１を操作して事業者モードへの変更を指示し、これによりモード変更用装置１がインタフェース変換装置３へリセット信号（図示せず）を出力し、このリセット信号をインタフェース変換装置３がＳＤカード型無線通信端末装置２へ出力し（図示せず）、これらリセット信号により各ＣＰＵ２１，３１が初期化処理を開始するようにしてもよい。
【００６３】
次に、図３を参照して第２の実施形態を説明する。図３の端末動作モード変更システムでは、ＳＤカード型無線通信端末装置２内の接続構成は上記図２の構成と略同様である。
【００６４】
図３のインタフェース変換装置３においては、ＣＰＵ３１はＲＷピンとＳＴＳＣＨＧピンに接続されている。ゲート素子４２は、その入力部がＩＯＩＳ１６ピンに接続され、また出力部がＣｌｏｃｋピンに接続されている。ＣＰＵ３１はこのゲート素子４２の出力を制御する。
【００６５】
図３の端末動作モード変更システムにおいては、ＳＤカード型無線通信端末装置２のＣＰＵ２１が、モード変更用装置１が接続されているか否かを判断し、接続されている場合に動作モードを事業者モードに遷移してその旨をインタフェース変換装置３へ通知する処理を行う。
【００６６】
次に、上記図３の端末動作モード変更システムにおいて、ＳＤカード型無線通信端末装置２の動作モードを事業者モードに遷移させる動作について説明する。初めに、上記図２のシステムと同様に、ＣＰＵ２１，３１の初期化処理において各インタフェース部２２，３２，３３の動作が停止される。次いで、インタフェース変換装置３のＣＰＵ３１が所定の信号ＡをＳＴＳＣＨＧピンへ出力する。
【００６７】
これにより、信号Ａは、図３の破線で示すように、モード変更用装置１で折り返されてインタフェース変換装置３のＩＯＩＳ１６ピンに入力され、ゲート素子４２を通過してインタフェース変換装置３からＳＤカード型無線通信端末装置２へ入力され、ＳＤカード型無線通信端末装置２のＣＰＵ２１へ入力される。ＣＰＵ２１は、この所定の信号Ａを検出すると、モード変更用装置１が接続されていると判断して動作モードを事業者モードに遷移する。
【００６８】
次いで、ＣＰＵ２１は、事業者モードに遷移したことを通知するための所定の信号Ｃを出力する。この信号Ｃは、図３の破線で示すように、ＲＷピンを介してインタフェース変換装置３のＣＰＵ３１へ伝送される。この信号Ｃの受信により、ＣＰＵ３１は、ＳＤカード型無線通信端末装置２の動作モードが事業者モードに遷移したことを知る。
【００６９】
次に、図４を参照して第３の実施形態を説明する。この図４の端末動作モード変更システムでは、上記図３のシステムにおいて、ＳＤカード型無線通信端末装置２のＣＰＵ２１が所定の信号Ａを送出するようにしている。そして、上記図２にように、インタフェース変換装置３にゲート素子４１を備えるようにして、インタフェース変換装置３内でＲＷピンの信号がＳＴＳＣＨＧピンに出力されるようにする。
【００７０】
図４の端末動作モード変更システムにおいて、ＳＤカード型無線通信端末装置２のＣＰＵ２１は、所定の信号Ａを送出し、モード変更用装置１で折り返された所定の信号Ａを検出すると、モード変更用装置１が接続されていると判断して動作モードを事業者モードに遷移する。次いで、インタフェース変換装置３へ事業者モードに遷移したことを通知するための所定の信号Ｃを出力する。
【００７１】
なお、上述した実施形態においては、モード変更用装置１がＳＴＳＣＨＧピンから入力された所定の信号Ａ（第１の信号）を単に折り返してＩＯＩＳ１６ピンから所定の第２の信号として出力し、ＣＰＵ２１または３１が、所定の第２の信号として信号Ａを検出し、これによりモード変更用装置１が接続されていると判断している。
【００７２】
また、上述した実施形態において、モード変更用装置１が入力された信号Ａに基づいて所定の信号Ｄを生成し、この信号Ｄを第２の信号として出力するものであってもよい。この場合には、ＣＰＵ２１または３１が、所定の第２の信号として信号Ｄを検出し、これによりモード変更用装置１の接続有りの判断を行うようにする。
【００７３】
上記信号Ａ（第１の信号）と信号Ｄ（第２の信号）について、具体的な例を示して説明する。ここでは、モード変更用装置１が信号Ａの極性を反転し、この反転信号を信号Ｄとして出力する場合を説明する。図５は、モード変更用装置１が信号極性反転機能を有する場合の入出力信号の一例を示すタイミングチャートである。信号Ａの発生装置は、ＨｉｇｈレベルとＬｏｗレベルを交互に複数回繰り返しながら信号Ａを出力する。図５の例では、Ｈｉｇｈレベルの次にＬｏｗレベルの順で、ＨｉｇｈとＬｏｗの組を３回繰り返す。また、ＨｉｇｈレベルおよびＬｏｗレベルの各々の持続時間は、例えば２５ｍＳ程度である。この信号Ａはモード変更用装置１で反転して出力される（図５の信号Ｄ）。
【００７４】
そして、信号Ｄの検出装置は、信号Ｄを検出し、モード変更用装置１により正しく折り返されていることを確認する。図５の例では、信号Ｄが、Ｌｏｗレベルの次にＨｉｇｈレベルの順で、ＬｏｗとＨｉｇｈの組が３回繰り返されることを検出する。また、各レベルの検出は、信号Ｄの各レベルの状態において、終了付近のタイミングで信号Ｄのレベルを確認することで行う。例えば、あるレベルを検出後、２４ｍＳ後に同じレベルであることを検出する。そして、この検出が途中で一度でもできなかった場合には、検出不良とし、端末装置の動作モードを事業者モードへ遷移させない。
【００７５】
なお、このように事業者モードへ遷移するための条件を厳しくしている理由は、事業者モードが特殊なモードであり、誤って遷移してしまうことを防止するためである。
【００７６】
また、モード変更用装置で信号Ａを反転して出力する理由は、モード変更用装置で折り返されたことをより確実に保証するためである。モード変更用装置が信号Ａをそのまま出力すると、信号Ａと信号Ｄが同極性となるが、これにより信号Ａ，Ｄの各信号線が途中の経路でショートしていても、モード変更用装置で正しく折り返されていると誤って検出することになる。そこで、図５のようにモード変更用装置で信号Ａを反転して出力し、このような誤検出を防止する。
【００７７】
なお、上記図４のＣＰＵ２１のように、信号Ａの発生装置と信号Ｄの検出装置が同一の装置であった場合には、図５の信号ＡをＨｉｇｈレベルとした後、２５ｍＳ待ってから折り返し信号（信号Ｄ）を検出し、正しく検出することができたら信号ＡをＬｏｗレベルとして同様に折り返し信号を検出し、これを繰り返すようにしてもよい。
【００７８】
なお、上述した実施形態においては、第１の通信インタフェースをＰＣカードインタフェースとし、第２の通信インタフェースをＳＤカードインタフェースととしたが、使用する通信インタフェースはこれらに限定されるものではなく、他の通信インタフェースにも同様に適用可能である。
【００７９】
なお、上述した図２の第１の実施形態においては、ゲート素子４１が第１の信号伝達手段に対応し、ＣＰＵ３１がモード変更用装置検出手段に対応する。
【００８０】
また、上述した図３の第２の実施形態においては、ＣＰＵ３１が第１の信号出力手段に対応し、ゲート素子４２が第２の信号伝達手段に対応する。
【００８１】
また、上述した図４の第３の実施形態においては、ゲート素子４１が第１の信号伝達手段に対応し、ゲート素子４２が第２の信号伝達手段に対応する。
【００８２】
次に、図面を参照し、本発明の他の実施形態について説明する。
図９は、本発明の実施形態による端末動作モード変更システムの構成を示すブロック図である。図９において、モード変更用装置１は上記図８に示す従来のＰＣカードインタフェース対応の装置である。ＳＤカード型無線通信端末装置２は、ＳＤカードインタフェース信号により外部装置との間でデータを送受信する。インタフェース変換装置３は、ＰＣカードインタフェース信号とＳＤカードインタフェース信号を相互変換するインタフェース変換装置である。
【００８３】
モード変更用装置１は、ＰＣカードインタフェース信号によりインタフェース変換装置３と電気的に接続され、インタフェース変換装置３との間で相互にデータを送受信する。ＳＤカード型無線通信端末装置２は、ＳＤカードインタフェース信号によりインタフェース変換装置３と電気的に接続され、インタフェース変換装置３との間で相互にデータを送受信する。
【００８４】
モード変更用装置１は、ＰＣカードインタフェース信号の中の一つである「ＩＯＩＳ１６信号」の信号線を用いて特殊信号Ａをインタフェース変換装置２へ送信する。この特殊信号Ａは、上記したようにＰＣカード型無線通信端末装置１００の動作モードを加入者データ登録モードに遷移させるための所定のコマンドであり、例えば、一定の間隔でＨｉｇｈレベルとＬｏｗレベルを交互に複数回繰り返す信号である。
【００８５】
インタフェース変換装置３は、ＳＤカードインタフェース信号により特殊コマンドＢをＳＤカード型無線通信端末装置２へ送信する。この特殊コマンドＢは、ＳＤカード型無線通信端末装置２の動作モードを加入者データ登録モードに遷移させるための所定のソフトウェアコマンドである。
【００８６】
図１０は、図９に示すインタフェース変換装置２の構成を示すブロック図である。図１０において、ＰＣカードインタフェース（ＰＣカードＩＦ）部５１は、ＰＣカードインタフェース機能を有しており、ＰＣカードインタフェース信号により外部装置とデータを送受信する。特殊信号検出部５２は、ＰＣカードＩＦ部５１により特殊信号Ａを受信したか否かを検出する。特殊コマンド発生部５３は、特殊信号検出部５２によって特殊信号Ａが検出されると、特殊コマンドＢを発生してＳＤカードインタフェース（ＳＤカードＩＦ）部５４へ出力する。ＳＤカードＩＦ部５４は、ＳＤカードインタフェース機能を有しており、ＳＤカードインタフェース信号により外部装置とデータを送受信する。
【００８７】
インタフェース変換部５５は、ＰＣカードインタフェースとＳＤカードインタフェースの変換機能を有しており、ＰＣカードＩＦ部５１で受信されたコマンドを該データ自体はそのままに、データスルーでＳＤカードインタフェースに合わせてＳＤカードＩＦ部５４へ出力する。また、ＳＤカードＩＦ部５４で受信されたコマンドを、同様にデータスルーでＰＣカードインタフェースに合わせてＰＣカードＩＦ部５１へ出力する。このインタフェース変換部５５は、特殊信号検出部５２からの指示に従って動作を開始する。特殊信号検出部５２は、ＰＣカードＩＦ部５１に外部装置が接続された際、特殊信号Ａを検出できなかった場合にインタフェース変換部５５の動作を開始させる。したがって、特殊信号Ａの検出時にはインタフェース変換部５５は動作しない。
【００８８】
図１１は、図９に示すＳＤカード型無線通信端末装置２の構成を示すブロック図である。図１１には動作モードの遷移機能に係る機能ブロックのみを示している。図１１において、ＳＤカードＩＦ部６１は、ＳＤカードインタフェース機能を有しており、ＳＤカードインタフェース信号により外部装置とデータを送受信する。通常コマンド検出部６２は、ＳＤカードＩＦ部６１により通常コマンドを受信したか否かを検出する。通常コマンドとは、利用者がＳＤカード型無線通信端末装置２を、例えばパーソナルコンピュータに装着してデータ通信する際に、該パーソナルコンピュータとの間で授受される所定のソフトウェアコマンドを指す。データ通信端末モード設定部６３は、通常コマンド検出部６２によって通常コマンドが検出されると、自装置の動作モードをデータ通信端末モードに設定する。
【００８９】
特殊コマンド検出部６４は、ＳＤカードＩＦ部６１により特殊コマンドＢを受信したか否かを検出する。加入者データ登録モード設定部６５は、特殊コマンド検出部６４によって特殊コマンドＢの受信が検出されると、自装置の動作モードを加入者データ登録モードに設定する。
【００９０】
インタフェース変換装置３及びＳＤカード型無線通信端末装置２は、インタフェース変換装置３にＳＤカード型無線通信端末装置２を装着可能な構造となっている。さらに、インタフェース変換装置３は、図１５に示す従来のＰＣカード型無線通信端末装置１００と同様に、モード変更用装置１やパーソナルコンピュータなどに装着可能な構造となっている。
【００９１】
次に、図１２及び図１３を参照して、上記図９の端末動作モード変更システムにより、ＳＤカード型無線通信端末装置２を加入者データ登録モードに遷移させて加入者データを設定する際の動作を説明する。図１２は、図９に示す端末動作モード変更システムの処理の流れを示すシーケンスチャートである。図１３は、図９に示す端末動作モード変更システムの使用方法を説明するための図である。
【００９２】
図１３に示すように、インタフェース変換装置３にＳＤカード型無線通信端末装置２を装着し、さらに該インタフェース変換装置３をモード変更用装置１に装着する（図１２のステップＳ１、Ｓ２）。モード変更用装置１は、インタフェース変換装置３が装着されると、電源を供給する（ステップＳ３）。これにより、インタフェース変換装置３は、ＳＤカード型無線通信端末装置２に電源を供給する（ステップＳ４）。ＳＤカード型無線通信端末装置２の特殊コマンド検出部６４は、電源供給を受けると、タイマーをスタートする（ステップＳ５）。
【００９３】
一方、モード変更用装置１は、特殊信号Ａをインタフェース変換装置２へ出力する（ステップＳ６）。インタフェース変換装置３の特殊信号検出部５２は、この特殊信号Ａを検出すると、その旨を特殊コマンド発生部５３へ通知し、特殊コマンド発生部５３が特殊コマンドＢを発生する。この特殊コマンドＢは、ＳＤカードＩＦ部５４によりＳＤカード型無線通信端末装置２へ送信される（ステップＳ７）。
【００９４】
ＳＤカード型無線通信端末装置２の特殊コマンド検出部６４は、タイムアウト時間Ｔに達する前に、該特殊コマンドＢの受信を検出すると、その旨を加入者データ登録モード設定部６５へ通知し、加入者データ登録モード設定部６５が自装置の動作モードを加入者データ登録モードに設定する。これにより、ＳＤカード型無線通信端末装置２は加入者データ登録モードとなり、図１３に示す加入者データ登録機２００から加入者データを受信して該加入者データを自装置に設定する。
【００９５】
なお、特殊コマンド検出部６４は、タイムアウト時間Ｔ経過後に特殊コマンドＢの受信を検出した場合には加入者データ登録モード設定部６５へ通知しない。これにより、ＳＤカード型無線通信端末装置２は加入者データ登録モードに遷移しない。このように、外部装置から電源供給を受けた後、所定時間内に特殊コマンドＢを検出しなかった場合には加入者データ登録モードに遷移しないので、加入者データ（電話番号など）を不正に書き換える等の不正利用のために加入者データ登録モードに遷移することを防止することができる。
【００９６】
次に、図１４を参照して、上記図９の端末動作モード変更システムにより、ＳＤカード型無線通信端末装置２をデータ通信端末モードに遷移させてデータ通信する際の動作を説明する。図１４は、図９に示す端末動作モード変更システムの使用方法を説明するための図である。
【００９７】
図１４に示すように、インタフェース変換装置３にＳＤカード型無線通信端末装置２を装着し、さらに該インタフェース変換装置３をパーソナルコンピュータ１１０に装着する。パーソナルコンピュータ１１０は、インタフェース変換装置２に電源を供給するとともに、通常コマンドを発生してインタフェース変換装置２へ送信する。
【００９８】
インタフェース変換装置３の特殊信号検出部５２は、特殊信号Ａを検出できないので、インタフェース変換部５５の動作を開始させる。これにより、インタフェース変換部５５は、パーソナルコンピュータ１１０から受信した通常データをＳＤカードＩＦ部５４によりＳＤカード型無線通信端末装置２へ送信する。
【００９９】
通常データには、データ通信を行うための通常コマンドも含まれＳＤカード型無線通信端末装置２の通常コマンド検出部６２は、通常コマンドの受信を検出すると、その旨をデータ通信端末モード設定部６３へ通知し、データ通信端末モード設定部６３が自装置の動作モードをデータ通信端末モードに設定する。これにより、ＳＤカード型無線通信端末装置２はデータ通信端末モードとなり、図１４に示す基地局３０１を介して公衆回線網３０２と接続してデータ通信を行うことができる。
【０１００】
なお、上述した実施形態では、インタフェース変換装置２にインタフェース変換部５５を備えて通常データの相互変換を可能とし、ＳＤカード型無線通信端末装置２をデータ通信端末モードに遷移させてデータ通信を行うようにしたが、インタフェース変換部５５については具備しなくてもよい。インタフェース変換部５５を具備しない場合には、インタフェース変換装置３は、ＳＤカード型無線通信端末装置２を加入者データ登録モードにするための専用装置となる。
【０１０１】
また、インタフェース変換装置３に、ＳＤカードインタフェースの他、複数のインタフェース機能を備え、通信端末装置が接続されたインタフェースを検出し、該検出したインタフェースに応じて該当する特殊コマンドを発生するようにしてもよい。このようにすれば、一つのインタフェース変換装置で複数のインタフェースに対応することができる。
【０１０２】
図１７は、本発明の他の実施例に係るインタフェース変換装置の構成を示すブロック図である。他の実施例と同様、インタフェース変換装置３は、第１の通信インタフェースを介してモード変更用装置２と、第２の通信インタフェースを介して端末装置１と接続されている。インタフェース変換装置３の構成は、第１の切り替え手段７３により第１信号伝達手段７１と第３の信号伝達手段７７のどちらかが選択され、第１の切り替え手段７３と第３の切り替え手段７７はそれぞれ第１の通信インタフェースを介してモード変更用装置２に接続される。端末装置１に対して第２の信号伝達手段７２と第４の信号伝達手段７９が第２の切り替え手段７５により選択され、第２の信号伝達手段７５と第４の信号伝達手段７９は第２の通信インタフェースを介して端末装置１に接続される。制御手段７４は第１の切り替え手段と７３第２の切り替え手段７５の動作を制御するように接続されている。タイミング検出手段７８は、インターフェース変換装置３の電源に電圧が印加されたタイミングを検出し、制御手段７４の動作を制御する。
【０１０３】
この実施例では、制御手段７４が第１の信号伝達手段７１かモード変更装置２から送信された第１の所定モード変更信号が入力されたことを検出する。検出後に制御手段７４は、第２の信号伝送手段７２により端末装置１に、端末装置１を所定のモードに変更するための第２の所定モード変更信号を出力する。制御手段７４が、モード変更用装置２から第１の所定モード変更信号の入力を検出できない場合、制御手段７４は、第１切り替え手段７３で第１の信号伝送手段を非選択とすると同時に第２切り替え手段７５を非選択とする。
【０１０４】
この実施例では、制御手段７４が第１切り替え手段７３と第２切り替え手段７５を選択した状態では、第２の通信インタフェースと第１の通信インタフェースとが接続された状態になり、端末装置１からモード変更用装置２への信号が送信される。さらに、第２の信号伝達手段７２からは、端末装置１から第３の所定モード変更信号が入力され、第１の信号伝達手段７１からモード変更用装置２へ出力される。次に制御手段７４は、第１の信号伝達手段手段７１よりモード変更用装置２から、第３の所定モード変更信号に基づく第１の所定モード変更信号が入力されることを検出する。
【０１０５】
この実施例では、制御手段７４は第１の信号伝達手段７１からモード変更用装置２に対して、第４の所定モード変更信号を出力する。そして、制御手段７４は、第１のインタフェース手段よりモード変更用装置２から、第４の所定モード変更信号に基づく第１の所定モード信号に基づく第１の所定モード変更信号が入力されることを検出する。
【０１０６】
この実施例では、制御手段７４が第１切り替え手段７３と第２切り替え手段７５を選択した状態では、第２の通信インタフェースと第１の通信インタフェースが接続された状態となり、端末装置７４、モード変更用装置２への信号とモード変更用装置２、端末装置７４への信号が伝達される。そして、第２の信号伝達手段７２からは、端末装置７４から第３の所定モード変更信号が入力され、第１の信号伝達手段７１からモード変更用装置２に出力される。制御手段７４は、第１の信号伝達手段７１よりモード変更用装置２から、第３の所定モード変更信号に基づく第１の所定モード変更信号が入力されることを検出する。
【０１０７】
この実施例では、第２の信号伝達手段７２と第４の信号伝達手段７０は、ソフトウェアコマンドを発生する手段である。ソフトウェアコマンドとは、デジタル信号のビット列で、特定パターンで文字を送信する。たとえば一つのアスキーキャラクタやキャラクタ列である。これに対して、信号は例えばＬＨの１ビットシグナルである。制御回路７４は、所定モード変更信号が検出されなかった場合には、第３の信号伝達手段７７および第４の信号伝達手段７９を選択し、通常のインタフェース機能を選択する。タイミング検出手段７８は、電源投入直後を検出するものであって、上述の処理は電源投入後に行なわれる。
【０１０８】
この実施例では、インタフェース変換装置３が、モード変更用装置２と例えばＳＤカードからなる端末装置１との間のアダプタとして機能し、アダプタが通信カードの挿入を検出し、通信カードのモードを変えるために遷移信号を通信カードに送信する。そしてソフトウェアコマンドを通信カードに送信する。
【０１０９】
以上、本発明の実施形態を図面を参照して詳述してきたが、具体的な構成はこの実施形態に限られるものではなく、本発明の要旨を逸脱しない範囲の設計変更等も含まれる。
【０１１０】
【発明の効果】
以上説明したように、本発明によれば、第１の通信インタフェース（ＰＣカードインタフェース）対応のモード変更用装置を利用して、第２の通信インタフェース対応の端末装置（ＳＤカード型無線通信端末装置）の動作モードを所定のモード（事業者モード）に遷移させることができる。
【０１１１】
また、端末装置が外部装置と接続時点から所定時間以内に所定ソフトウェアコマンド（特殊コマンド）を受信しなかった場合には所定モード（加入者データ登録モード）に遷移しないので、例えば、加入者データ（電話番号など）を不正に書き換える等の不正利用のために加入者データ登録モードに遷移することを防止することができる。
【０１１２】
また、インタフェース変換装置が第１の通信インタフェース（ＰＣカードインタフェース）を介して外部装置と接続した際、所定信号（特殊信号）を検出できなかった場合に、第１の通信インタフェース（ＰＣカードインタフェース）と第２の通信インタフェース（ＳＤカードインタフェース）の間でデータの相互変換を行うので、例えばパーソナルコンピュータと端末装置（ＳＤカード型無線通信端末装置）との間で通常コマンドを授受することができ、該通常コマンドによりデータ通信を行うことができる。
【図面の簡単な説明】
【図１】本発明の実施形態による端末動作モード変更システムの概略構成を示すブロック図である。
【図２】本発明の第１の実施形態による端末動作モード変更システムの詳細な構成を示すブロック図である。
【図３】本発明の第２の実施形態による端末動作モード変更システムの詳細な構成を示すブロック図である。
【図４】本発明の第３の実施形態による端末動作モード変更システムの詳細な構成を示すブロック図である。
【図５】モード変更用装置１が信号極性反転機能を有する場合の入出力信号の一例を示すタイミングチャートである。
【図６】従来の端末動作モード変更システムの概略構成を示すブロック図である。
【図７】図６に示す従来の端末動作モード変更システムの詳細な構成を示すブロック図である。
【図８】従来のインタフェース変換装置１１０の構成を示すブロック図である。
【図９】本発明の一実施形態による端末動作モード変更システムの構成を示すブロック図である。
【図１０】図９に示すインタフェース変換装置３の構成を示すブロック図である。
【図１１】図９に示すＳＤカード型無線通信端末装置２の構成を示すブロック図である。
【図１２】図９に示す端末動作モード変更システムの処理の流れを示すシーケンスチャートである。
【図１３】図９に示す端末動作モード変更システムの使用方法を説明するための第１の図である。
【図１４】図９に示す端末動作モード変更システムの使用方法を説明するための第２の図である。
【図１５】従来の端末動作モード変更システムの構成を示すブロック図である。
【図１６】モード変更用装置１の構成を示すブロック図である。
【図１７】本発明の１実施例に係るインタフェース変換装置の構成を示すブロック図である。
【符号の説明】
１…モード変更用装置
２…ＳＤカード型無線通信端末装置
３…インタフェース変換装置
２１，３１…ＣＰＵ
２２，３２…ＳＤカードインタフェース部
３３…ＰＣカードインタフェース部
４１，４２…ゲート素子
５１…ＰＣカードインタフェース（ＰＣカードＩＦ）部
５２…特殊信号検出部
５３…特殊コマンド発生部
５４，６１…ＳＤカードインタフェース（ＳＤカードＩＦ）部
５５…インタフェース変換部
６２…通常コマンド検出部
６３…データ通信端末モード設定部
６４…特殊コマンド検出部
６５…加入者データ登録モード設定部
７１…第１信号伝達手段
７２…第２信号伝達手段
７３…第１切り替え手段
７４…制御手段
７５…第２切り替え手段
７７…第３信号伝達手段
７８…タイミング検出手段
７９…第４信号伝達手段
【図１】
2004152252.tif 000003
【図２】
2004152252.tif 000004
【図３】
2004152252.tif 000005
【図４】
2004152252.tif 000006
【図５】
2004152252.tif 000007
【図６】
2004152252.tif 000008
【図７】
2004152252.tif 000009
【図８】
2004152252.tif 000010
【図９】
2004152252.tif 000011
【図１０】
2004152252.tif 000012
【図１１】
2004152252.tif 000013
【図１２】
2004152252.tif 000014
【図１３】
2004152252.tif 000015
【図１４】
2004152252.tif 000016
【図１５】
2004152252.tif 000017
【図１６】
2004152252.tif 000018
【図１７】
2004152252.tif 000019